(57)【特許請求の範囲】
【請求項１】
壁または床または天井のいずれかに上下ランナを取付け、これら上下ランナに湾曲する程度に薄い板材からなる縦フレームの上下端を固定し、次いで、剛性を有した部材を用いて前記縦フレームを予め壁面に塗布した接着剤に押し当て、縦フレームを直線状に固定し、この縦フレームに内装材を取付けることを特徴とするトイレ空間の内装壁構造の施工方法。
【請求項２】
請求項１に記載のトイレ空間の内装壁構造の施工方法において、前記縦フレームのうちトイレ空間の出隅部に配置される縦フレームを断面Ｌ字状とすることを特徴とするトイレ空間の内装壁構造の施工方法。
【請求項３】
請求項１または請求項２に記載のトイレ空間の内装壁構造の施工方法において、前記縦フレームを前記内装材の継ぎ目部に位置させることを特徴とするトイレ空間の内装壁構造の施工方法。
【請求項４】
請求項１乃至請求項３の何れかに記載のトイレ空間の内装壁構造の施工方法において、前記縦フレーム間に当該縦フレームと面一となる厚さの補強部材を既存壁に接着剤を用いて固定することを特徴とするトイレ空間の内装壁構造の施工方法。
【発明の詳細な説明】
【技術分野】
【０００１】
本発明は、建築躯体の内装壁構造の施工方法に関するものである。
【背景技術】
【０００２】
近年、オフィスビル，学校等の建築物におけるトイレ空間の改修では、既設壁の適当な箇所に団子状のモルタルを塗布し、壁下地材である石膏ボードを圧着固定し、モルタルが乾燥するまで養生後、上から内装材を貼って仕上げるという、ＧＬ工法と称される内装壁構造がある。また、既設壁がタイルの場合、モルタルを施工する前にカチオン系下地調整材を塗布後、乾燥するまで１日養生した後、作業を行う。（特許文献１参照）
【０００３】
また、上下ランナと軽鉄スタッドからなる下地に壁下地材である石膏ボードをビス止めし、上から内装材を貼って仕上げるという、施工時に養生を必要としない軽鉄スタッド工法と称される内装壁構造がある。
【０００４】
【特許文献１】特公昭６２−５８６３６号公報
【発明の開示】
【発明が解決しようとする課題】
【０００５】
上記ＧＬ工法と称される内装壁構造では、下地材である石膏ボードと団子状のモルタルの厚みが２０〜２５ｍｍあり、６ｍｍ程度の内装材を石膏ボードの上から１ｍｍ程度の両面テープと接着剤で貼り付けるため、既設壁から新規内装壁の内装材表面までの寸法は２７〜３２ｍｍになる。また、軽鉄スタッド工法と称される内装壁構造の場合でも、下地材である石膏ボードと軽鉄スタッドの厚みが７７ｍｍ程度あり、６ｍｍ程度の内装材を上から１ｍｍ程度の両面テープと接着剤で貼り付けるため、既設壁から新規内装壁の内装材表面までの寸法は８４ｍｍ以上になる。いずれの工法においても、既存トイレが前記寸法分狭くなる。
【０００６】
オフィスビル，学校等の建築物におけるトイレ空間の改修においては、既設壁の内側に新規内装壁を貼り付けるため、改修前より必ず狭くなるので、少しでも既設壁から新規内装壁の内装材表面までの寸法を薄くしたいというニーズがある。そこで本発明は、上記課題を解決するためになされたもので、本発明の目的は、既設壁の内側に新規内装壁を貼り付けて、トイレ空間を改修する内装壁構造であって、新規内装壁の厚みを従来工法による内装壁の厚みよりも薄くした内装壁構造を提供することにある。
【課題を解決するための手段】
【０００７】
上記目的を達成するため本発明は、壁または床または天井のいずれかに上下ランナを取付け、これら上下ランナに湾曲する程度に薄い板材からなる縦フレームの上下端を固定し、次いで、剛性を有した部材を用いて前記縦フレームを予め壁面に塗布した接着剤に押し当て、縦フレームを直線状に固定し、この縦フレームに内装材を取付けることを特徴とする。
【０００８】
この発明では、縦フレームを前記上下ランナに固定するともに既設壁面との間に接着剤等を介して取付けたことにより、接着剤等の厚みを従来のＧＬ工法に用いるモルタルの厚みより薄くすることができる。また、軽鉄スタッド工法のような軽鉄スタッドを使用しなくても、縦フレームが充分な強度を有するため、既設壁の内側に新規内装壁を貼り付けて、トイレ空間を改修することにより、新規内装壁の厚みを従来工法による内装壁の厚みよりも薄くすることができる。
【０００９】
請求項３に記載の発明は、縦フレームが断面L字状であることを特徴とする。入隅部または出隅部にL字状のフレームを用いれば出隅部の直角を精度良く出すことができるので、既設壁の不陸の影響を受け、入隅部または出隅部の直角が出ていないことによる洗面カウンター、小便器ライニング等の設備機器との納まりが悪くなることなく、外観良く仕上げることができる。
【００１０】
請求項４に記載の発明は、前記縦フレームが前記内装材の継ぎ目部に位置せしめた。このようにすることで、縦フレームが内装材の継ぎ目部に位置するため、特別な技術を有しなくても、内装材と内装材の継ぎ目に段差ができることなく面一に施工することができる。
【００１１】
請求項５記載の発明は、前記縦フレーム間に当該縦フレームと面一となる厚さの補強部材を既存壁に接着剤を用いて固定した。例えば、縦フレームを横使いすることで手すりなどのアクセサリーを固定しやすくなる。
【発明の効果】
【００１２】
本発明によれば、縦フレームを上下ランナに固定するともに既設壁面との間に接着剤等を介して取付けたことにより、接着剤等の厚みを従来のＧＬ工法に用いるモルタルの厚みより薄くすることができ、また、軽鉄スタッド工法における軽鉄スタッドを使用しなくても、縦フレームが充分な強度を有するため、既設壁の内側に新規内装壁を貼り付けて、トイレ空間を改修するにあたり、従来の内装壁の厚みを薄くすることができる。更に、上ランナの裏側に７ｍｍ以上の空間を設ければ、既存壁にハツリを入れずに電線ケーブルを壁裏に配線することができるため、騒音及び粉じん、ほこりを出すこと無く、しかも既存壁から内装材表面までの寸法を極力抑えて、電線ケーブルを配線することができる。
【発明を実施するための最良の形態】
【００１３】
以下、図面を基に本発明の一実施例を具体的に説明する。図１（ａ）は内装壁構造の縦断面図、図１（ｂ）は、内装壁構造の内装材を一部取り外した図である。１は内装壁構造、２は上ランナ、３は下ランナ、４は縦フレーム、５は接着剤等、６は両面テープ、７は内装材、８は幅木、９は新規天井仕上げ材、１０は新規床仕上げ材、１１は新規床下地材、１２は内装材用接着剤、１３は既設床、１４は既設壁、１５は新規天井下地である。
【００１４】
上ランナ２は既設壁１４の上部位置で水平状に接着剤等５で固定されている。下ランナ３は既設壁１４の下部位置で水平状に接着剤等５で固定されている。また、接着剤等５の硬化後、新規床下地材１１を流し込んでいる。縦フレーム４は上ランナ２及び下ランナ３に対して両面テープ６で固定されるとともに、既設壁１４に接着剤等５で固定されている。内装材７は縦フレーム４に内装材用接着剤１２と両面テープ６を併用して固定している。
【００１５】
ここで、上ランナ２及び下ランナ３の形状においては、図１の例ではＬ字状のフレームが取付けられているが、その構造は特に限定されず、壁に固定する時は板状の部材でも良い。また、図２に示すように、上ランナ２及び下ランナ３は必ずしも１つとは限らず、２つ以上組み合わせても良い。図２のようにまず、上ランナ２を既存壁１４にビスで固定し、次に両面テープ６で上ランナ２’を固定すれば、接着剤等５を使用せずに上ランナ２を取付けることができ、接着剤等５の養生時間を省略できる為、大幅に工期を短縮することができる。また、上ランナ２の取付けは高さ方向を調整し、次に上ランナ２’の取付けでは奥行き方向の調整をすることができる為、施工性は向上する。
【００１６】
また、上ランナ２及び下ランナ３の固定方法については、図１の例では、接着剤等５で既設壁１４に固定されているが、既設天井がある場合、上ランナ２は既設天井（図示しない）に、下ランナ３は既設床１３に、ビスまたは両面テープ６等で固定してもよく、その固定方法は特に限定されない。
【００１７】
また、下ランナ３は図１の例では、新規床下地材１１に埋設されていることから、下ランナ３を既設床１３にビスで固定した場合であっても、ビス頭を新規床下地材１１内に隠蔽することができ、さらに下ランナ３を充分な強度で固定することができるが、新規床下地材１１の上部に取付けてもよく、取付け位置は特に限定されない。
【００１８】
さらに図３に示すように上ランナ２及び下ランナ３を既存壁１４の両側に垂直状に取付け、右ランナ・左ランナの左右ランナとしてもよく、左右ランナを基準に横方向にフレームを取付けても良い。
【００１９】
図１（ｂ）では、４５０ｍｍの間隔で配設された縦フレーム４に対して、９００ｍｍ幅の内装材７を施工している例を示している。特に内装材が薄い場合に、中央付近が湾曲することがあるが、縦フレーム４が内装材７の継ぎ目部と内装材７の中央部に位置することで、内装材の中央付近の湾曲を防止できる。また、縦フレーム４の本数は限定されるものではなく、継ぎ目に位置する各縦フレーム４，４の間に複数の縦フレーム４を配設しても良い。一方、内装材７が壁面として充分な強度を有する限り、内装材７の継ぎ目部のみ縦フレーム４を配設しても良い。また、図示の例のように縦フレーム４、４間に団子状の接着剤等５を適切な間隔で塗布すれば、壁面の強度が向上し、上述の継ぎ目に位置する各縦フレーム４，４間の縦フレーム４を取付ける手間が省け、より工期を短縮することができる。
【００２０】
縦フレーム４の幅寸法において、縦フレーム４は、実施例では、幅１００ｍｍ×厚み１ｍｍの板材を使用しているが、内装材７の継ぎ目部に位置し、特別な技術を有しなくても、内装材７と内装材７の継ぎ目に段差ができることなく面一にすることができる限り、特に限定されない。
【００２１】
縦フレーム４の長さについては、縦フレーム４の上下端が上ランナ２と下ランナ３に接触している限り、特に限定されない。また、縦フレーム４の長さを予め工場等で現場の天井高さと同じ長さにしておけば、現場で縦フレーム４を切断する手間が省けるため、工期を短縮することができ、さらに廃材を少なくなくすることができる。
【００２２】
上ランナ２及び下ランナ３及び縦フレーム４の厚みについては、厚み１ｍｍの板材を使用し、接着剤等５の厚みが1ｍｍであれば、壁下地の寸法を４ｍｍに抑えることができ、従来工法よりも改修後のトイレ空間を広くできる。なお、各部材の剛性を高めるために厚みの厚い部材を使用してもよく、よりトイレ空間を広くするため、より薄い部材を使用してもよく、特に限定されない。また、材質については、錆びにくいステンレスが好ましいが、亜鉛めっき鋼板、アルミニウム等を使用してもよく、特に限定されない。
【００２３】
接着剤等５は、既設壁１４と縦フレーム４を確実に接着するためには、既設壁１４面に団子状に塗布しても、その形状を保持できるような粘性の高いものが好ましいが、特に限定されない。また、速乾性の接着剤等５を使用すれば、養生時間を短縮できるので、工期を短縮することができる。
【００２４】
既存トイレの入口枠，窓枠，ドア枠等の枠は、既設壁１４より１０〜１５ｍｍ程度しか出ていないので、従来工法の場合、必ず枠廻りも更新しなければならないので、工期は延び、コストも増大するが、本実施例のような壁下地に、市販されている厚み３ｍｍのメラミン板等の内装材７を使用した内装壁構造１であれば、既設壁１４から内装材７表面までの寸法を８ｍｍ程度にすることができるため、枠廻りの更新作業を省き、工期を短縮することができる。
【００２５】
図４（ａ）（ｂ）は、内装壁構造の施工手順を示した図である。１６は基準、１７は剛性を有した部材を示す。内装壁構造１の施工方法については、図４（ａ）に示すように、まず、下振り等を用いて、各既設壁１４における最も出張っている部分を見つけ、その部分を基準１６として、上ランナ２及び下ランナ３を接着剤等５で固定する。
【００２６】
次に、図４（ｂ）に示すように、既設壁１４に基準１６よりはみ出す程度、接着剤等５を縦フレーム４の上下方向に任意の間隔で塗布し、縦フレーム４の上下端部に両面テープ６を貼り付けた状態で、該縦フレーム４を上ランナ２及び下ランナ３に固定する。この状態では、縦フレーム４が両面テープ６により、上ランナ２及び下ランナ３と固定しただけの状態で、縦フレーム４は湾曲しているため、軽鉄スタッド等の剛性を有した部材１７を押し当てて、縦フレーム４を直線状にする。また、万一、作業者が剛性を有した部材１７を押し当てすぎて、縦フレーム４が基準１６より凹んだ場合、縦フレーム４を引き戻して、簡単に修正することができる。以上のように、両面テープ６で縦フレーム４を上ランナ２及び下ランナ３と固定することで、接着剤等５が硬化するまでの間、縦フレーム４が剥落することを防止している。また、既存壁１４と内装材７表面までの寸法が大きく、接着剤等５の塗布量が多い場合、既存壁１４と縦フレーム４間に合板等をスペーサ（図示しない）として入れると、接着剤等５の塗布量を抑えることができる。
【００２７】
接着剤等５が硬化後、図１のように縦フレーム４に内装材用接着剤１２を塗布し、両面テープ６を貼付け、各縦フレーム４，４間の既設壁１４に接着剤等５を団子状に適度な間隔を設けて塗布し、内装材７を固定する。既設天井がない場合は、内装材用接着剤１２が硬化後、新規天井下地１５を施工し、新規天井仕上げ材９を取付け、最後に内装材用接着剤１２で新規床仕上げ材１０を貼り付ければ、図1の例のような内装壁構造１が構成される。また、既設天井（図示しない）がある場合は、内装材用接着剤１２が硬化後、新規天井仕上げ材９を既設天井表面上に取付け、最後に内装材用接着剤１２で新規床仕上げ材１０を貼り付ける。
【００２８】
図５（ａ）は、内装壁裏側に電線ケーブルを配線した内装壁構造を示す断面図、図５（ｂ）は、内装壁裏側に電線ケーブルを配線した内装壁構造を示す斜視図である。１８は、電線ケーブルである。通常トイレ内で使用している電線ケーブル１８は奥行き長さが７ｍｍなので、図５のように、上ランナ２の裏側に７ｍｍ以上の空間を設ければ、既存壁１４にハツリを入れずに電線ケーブル１８を壁裏に配線することができるため、騒音及び粉じん、ほこりを出すこと無く、しかも既存壁１４から内装材７表面までの寸法を極力抑えて、電線ケーブル１８を配線することができる。施工手順はまず電線ケーブルを配線し、電線ケーブルを交わしながら上下ランナ２、３及び縦フレーム４等を施工する方法が、基準通りに施工された上下ランナ２、３及び縦フレーム４に外力が加わらないため、好ましい。
【００２９】
図６（ａ）（ｂ）（ｃ）は、内装壁裏側に補強部材を入れた内装壁構造の斜視図である。１９は補強部材である。通常、トイレの壁面には鏡、紙巻器、手すり等のアクセサリーが固定される。アクセサリーが固定される壁面には、図６（ａ）のように予め補強部材１９を入れて、既存壁１４と固定する。図示の例では、補強部材１９は縦フレーム４を横使いして、既存壁１４と接着剤等５で固定している。補強部材１９は事前に施工された縦フレーム４と面一になるよう、施工しなければならないので、縦フレーム４と同様の厚さ１ｍｍで、アクセサリーを充分に保持できる亜鉛めっき鋼板が好ましい。施工手順は、図４の手順通りに上下ランナ２、３を施工し、縦フレーム４を取付けた後、左右の縦フレーム４を基準に補強部材１９を施工するという手順が基準が明確で施工性が良い。なお、補強部材１９は縦フレーム４を横使いせずに、図６（ｂ）のように縦フレーム４を一本増やしても良い。また、図６（ｃ）に示すように、補強部材１９を施工後、縦フレーム４と内装材７の接着に使用する両面テープ６で補強部材１９と縦フレーム４を固定すれば、縦フレーム４と補強部材１９が面一にし易く、しかも補強部材１９が接着剤等５と両面テープ６との併用で固定できるため、補強部材１９が充分に支持され、補強部材１９が養生中、落下することはない。
【００３０】
図７（ａ）（ｂ）は、下ランナが幅木を兼ねた場合の内装壁構造を示す断面図である。下ランナ３を図７（ａ）（ｂ）のような構造にすれば、幅木８を兼ねることができるため、部材の数を省略することができ、さらに幅木８を貼付ける工程を省くことができるので、工期を短縮することができる。下ランナ３の材質は、ヘアライン仕上げのステンレスが好ましく、アルミニウムでもよく、特に限定されない。
【００３１】
図８は、トイレ空間の出隅部の内装壁構造
を示す平面視断面図である。縦フレーム４の形状において、該縦フレーム４は、Ｌ字状も板状に含み、図８に示した断面Ｌ字状であってもよく、入隅部または出隅部においては、Ｌ字状のフレームを用いれば出隅部の直角を精度良く出すことができる。そのため、既設壁１４の不陸の影響を受け、入隅部または出隅部の直角が出ていないことによる洗面カウンター、小便器ライニング等の設備機器との納まりが悪くなることなく、外観良く仕上げることができる。
【００３２】
図９は、接着剤等と接着剤等の間に発泡剤を入れた内装壁構造を表した図である。２０は、発泡剤である。速硬性の接着剤等５を使用すれば、一晩養生で上下ランナ２、３及び縦フレーム４が動かなくなるまで接着剤等５が硬化するので、上下ランナ２、３及び縦フレーム４を施工した翌日には内装材７を施工することができる。図９のように接着剤等５と接着剤等５の間に２液性の発泡ウレタン等の発泡剤２０を入れることで、上下ランナ２、３及び縦フレーム４は１０分程度で内装材７の施工ができるまで硬化するため、壁下地の工程と壁仕上げの工程が同じ日にすることが可能になり、さらに工期短縮することができる。
【００３３】
図１０は、内装材施工治具を用いた施工方法の一例について表した図である。２１は、内装材施工治具である。図１０に示すようなねじ込み量で高さ調整可能な内装材施工治具２１を使用すれば、任意の高さに調節した内装材施工治具２１の上部に内装材７の底面を載置し、内装材７を施工すれば、特別な技術を有しなくても、内装材７を任意の高さに施工することができ、さらに作業効率が向上するので、工期を短縮することができる。
【００３４】
図１１は、下ランナが無い場合における縦フレームの施工方法の一例について表した図である。図１１に示すような既存壁１４が１９００ｍｍの高さまでタイルで仕上げられ、それ以上はコンクリート塗装で仕上げられたトイレ空間では、１９００ｍｍの位置で１０ｍｍ程度凹んでおり、段差があることが多い。こうした現場で極力、既存壁１４から内装材７表面までの寸法を抑えたい場合、図１１のように上ランナ２のみ既存壁１４表面を基準にして取付け後、縦フレーム４を上ランナ２及び既存壁１４を基準に取付けるため、段差調整を容易にすることができ、最後に上述の壁下地上に内装材７を施工する。以上のように上ランナ２または下ランナ３は無くても、既存壁１４を基準として使用できれば、縦フレーム４を施工することはできる。
【図面の簡単な説明】
【００３５】
【図１】ａは内装壁構造の縦断面図、ｂは内装壁構造の内装材を一部取り外した図である。
【図２】上ランナを２つ使用した内装壁構造を示す断面図である。
【図３】上ランナ及び下ランナの取付け位置について表した図である。
【図４】内装壁構造の施工手順を示した図である。
【図５】内装壁裏側に電線ケーブルを配線した内装壁構造を示す断面図である。
【図６】内装壁裏側に補強部材を入れた内装壁構造の斜視図である。
【図７】下ランナが幅木を兼ねた場合の内装壁構造を示す断面図である。
【図８】トイレ空間の出隅部の内装壁構造を示す平面視断面図である。
【図９】接着剤等と接着剤等の間に発泡剤を入れた内装壁構造を表した図である。
【図１０】内装材施工治具を用いた施工方法の一例について表した図である。
【図１１】下ランナが無い場合における縦フレームの施工方法の一例について表した図である。
【符号の説明】
【００３６】
１ 内装壁構造
２ 上ランナ
３ 下ランナ
４ 縦フレーム
５ 接着剤等
６ 両面テープ
７ 内装材
８ 幅木
９ 新規天井仕上げ材
１０ 新規床仕上げ材
１１ 新規床下地材
１２ 内装材用接着剤
１３ 既設床
１４ 既設壁
１５ 新規天井下地
１６ 基準
１７ 剛性を有した部材
１８ 電線ケーブル
１９ 補強部材
２０ 発泡剤
２１ 内装材施工治具
【図１】
0004548402.tif 000002
【図２】
0004548402.tif 000003
【図３】
0004548402.tif 000004
【図４】
0004548402.tif 000005
【図５】
0004548402.tif 000006
【図６】
0004548402.tif 000007
【図７】
0004548402.tif 000008
【図８】
0004548402.tif 000009
【図９】
0004548402.tif 000010
【図１０】
0004548402.tif 000011
【図１１】
0004548402.tif 000012